(57)【要約】【課題】本発明は車用香水のアクセサリーを開示した。【解決手段】ベースと、円形台と円形盤とを含み、前記円形盤と前記ベースとがいずれも円柱形であり、前記円形台が前記ベースの頂端に固定的に設置され、前記円形台の頂端には均一に分布されている八組の固定軸が固定的に設置され、前記固定軸の頂端がいずれも前記円形盤の底端と固定的に連結され、前記円形台の中には貯蔵チャンバが設置され、前記貯蔵チャンバが上方に開口しており、前記貯蔵チャンバの中には濾紙が固定的に設置され、前記濾紙は香水が揺り動かされて前記貯蔵チャンバの外部に溢れることを防止でき、前記濾紙の底部の前記貯蔵チャンバの中には香水を置くことができ、本発明のカーアクセサリーは、比較的に高い美観性を持つだけでなく、香水を拡散する機能も持っており、その機能性と観賞性を高める。【選択図】図１
2020183213.tif 000002
【特許請求の範囲】
【請求項１】
正面視で、ベースと、円形台と円形盤とを含み、前記円形盤と前記ベースとがいずれも円柱形であり、前記円形台が前記ベースの頂端に固定的に設置され、前記円形台の頂端には均一に分布されている八組の固定軸が固定的に設置され、前記固定軸の頂端がいずれも前記円形盤の底端と固定的に連結され、前記円形台の中には貯蔵チャンバが設置され、前記貯蔵チャンバが上方に開口しており、前記貯蔵チャンバの中には濾紙が固定的に設置され、前記濾紙は香水が揺り動かされて前記貯蔵チャンバの外部に溢れることを防止でき、前記濾紙の底部の前記貯蔵チャンバの中には香水を置くことができ、前記貯蔵チャンバの中には香水の揮発を速める拡散機構が設置され、前記円形盤の頂端には回転柱が回転できるように設置され、前記円形盤の中には伝動チャンバが設置され、前記伝動チャンバの中には前記回転柱を回転させることができる伝動機構が設置され、前記円形盤の底部端面には凹溝が設置され、前記凹溝の中には前記拡散機構を開けることを制御するスイッチ機構が設置され、前記円形盤の頂部端面には中心対称的に設置された八組の円柱形溝が設置され、前記円柱形溝の中にはいずれもスライド柱がスライドできるように設置され、前記スライド柱の底端と前記円柱形溝の底壁との間にはいずれもばねが装着され、前記スライド柱の頂端にはいずれも円球が固定的に設置され、前記回転柱の下側の一部が伸びて前記伝動チャンバの中に入っており、また前記回転柱の頂端には装飾品が固定的に設置され、前記回転柱の外周には左右対称的に設置された二組の横向き板が固定的に設置され、前記横向き板の底端が前記円球と当接することができることを特徴とする車用香水のアクセサリー。
【請求項２】
前記拡散機構は前記貯蔵チャンバの底壁に固定的に設置された固定柱を含み、前記固定柱の中には上下へ伸びるように設置された動力軸が回転できるように設置され、前記動力軸の底端と前記ベースの中に固定的に嵌められたモーターとが動力が伝達できるように連結され、前記貯蔵チャンバの中の前記動力軸の外周にはファンが固定的に設置され、前記ファンが前記濾紙の頂部に位置しており、前記円形盤の底部端面には滑り軸受が回転できるように設置され、前記滑り軸受が前記動力軸に被せられ、且つ前記滑り軸受と前記動力軸との間に隙間があり、八組の前記固定軸の外周にはいずれも曲がり板が回転できるように設置され、八組の前記曲がり板は互いに協力し合って円柱形を成し、前記曲がり板と前記滑り軸受との間がベルトによって連結されることを特徴とする請求項１に記載の車用香水のアクセサリー。
【請求項３】
前記伝動機構は前記伝動チャンバの中に回転できるように設置された伝動軸を含み、前記伝動軸の外周には第一ギヤが固定的に設置され、前記第一ギヤの左側の前記伝動軸の外周には従動ベベルギヤが固定的に設置され、前記動力軸の頂端が前記伝動チャンバの中に挿入されることができ、また前記動力軸の頂端には前記従動ベベルギヤと噛み合うように設置された動力ベベルギヤが固定的に設置され、前記回転柱の底端には前記第一ギヤと噛み合うように設置された第二フェースギヤが固定的に設置され、前記動力ベベルギヤの直径は前記第二フェースギヤの直径より小さく、更に前記動力ベベルギヤが前記第二フェースギヤに伝達する回転速度を下げることを特徴とする請求項１に記載の車用香水のアクセサリー。
【請求項４】
前記スイッチ機構は前記凹溝の右側端壁の中に回転できるように設置された横軸を含み、前記横軸の右側の一部が前記円形盤の外部から出ており、また前記横軸の右側末端にはつまみが固定的に設置され、前記横軸の左側末端には第二ギヤが固定的に設置され、前記滑り軸受の外周には第二フェースギヤが固定的に設置され、前記第二フェースギヤと前記第二ギヤとが噛み合うように設置され、手で前記つまみを回すことを通じて、前記横軸を回転させ、更にそれにより前記第二ギヤが前記第二フェースギヤを回転連動させ、それによって前記拡散機構が開けられ、香水が揮発し、前記円形台の片側端面には管路が設置され、前記管路と前記貯蔵チャンバとが連通するように設置され、前記管路の頂部には栓がスライドできるように設置され、前記栓が前記管路を塞ぐことができることを特徴とする請求項１に記載の車用香水のアクセサリー。
【発明の詳細な説明】
【技術分野】
【０００１】
本発明はカーアクセサリー技術分野に関わり、具体的には車用香水のアクセサリーである。
【背景技術】
【０００２】
目下、市販されているほどんどのカーアクセサリーは単一の装飾機能しか持っていなく、面白みに欠けており、観賞性があまり高くなく、構成も古く、普及するのは面倒であり、従って、本発明は装飾品と香水とを結合した車用香水のアクセサリーを設計した。
【先行技術文献】
【特許文献】
【０００３】
【特許文献１】中国特許出願公開第１０５４８０００１号明細書
【発明の概要】
【発明が解決しようとする課題】
【０００４】
本発明は車用香水のアクセサリーを提供し、既存技術にある上記欠点を解消することを目的とする。
【課題を解決するための手段】
【０００５】
本発明実施例の車用香水のアクセサリーは、ベースと、円形台と円形盤とを含み、前記円形盤と前記ベースとがいずれも円柱形であり、前記円形台が前記ベースの頂端に固定的に設置され、前記円形台の頂端には均一に分布されている八組の固定軸が固定的に設置され、前記固定軸の頂端がいずれも前記円形盤の底端と固定的に連結され、前記円形台の中には貯蔵チャンバが設置され、前記貯蔵チャンバが上方に開口しており、前記貯蔵チャンバの中には濾紙が固定的に設置され、前記濾紙は香水が揺り動かされて前記貯蔵チャンバの外部に溢れることを防止でき、前記濾紙の底部の前記貯蔵チャンバの中には香水を置くことができ、前記貯蔵チャンバの中には香水の揮発を速める拡散機構が設置され、前記円形盤の頂端には回転柱が回転できるように設置され、前記円形盤の中には伝動チャンバが設置され、前記伝動チャンバの中には前記回転柱を回転させることができる伝動機構が設置され、前記円形盤の底部端面には凹溝が設置され、前記凹溝の中には前記拡散機構を開けることを制御するスイッチ機構が設置され、前記円形盤の頂部端面には中心対称的に設置された八組の円柱形溝が設置され、前記円柱形溝の中にはいずれもスライド柱がスライドできるように設置され、前記スライド柱の底端と前記円柱形溝の底壁との間にはいずれもばねが装着され、前記スライド柱の頂端にはいずれも円球が固定的に設置され、前記回転柱の下側の一部が伸びて前記伝動チャンバの中に入っており、また前記回転柱の頂端には装飾品が固定的に設置され、前記回転柱の外周には左右対称的に設置された二組の横向き板が固定的に設置され、前記横向き板の底端が前記円球と当接することができる。
【０００６】
さらなる技術プランには、前記拡散機構は前記貯蔵チャンバの底壁に固定的に設置された固定柱を含み、前記固定柱の中には上下へ伸びるように設置された動力軸が回転できるように設置され、前記動力軸の底端と前記ベースの中に固定的に嵌められたモーターとが動力が伝達できるように連結され、前記貯蔵チャンバの中の前記動力軸の外周にはファンが固定的に設置され、前記ファンが前記濾紙の頂部に位置しており、前記円形盤の底部端面には滑り軸受が回転できるように設置され、前記滑り軸受が前記動力軸に被せられ、且つ前記滑り軸受と前記動力軸との間に隙間があり、八組の前記固定軸の外周にはいずれも曲がり板が回転できるように設置され、八組の前記曲がり板は互いに協力し合って円柱形を成し、前記曲がり板と前記滑り軸受との間がベルトによって連結される。
【０００７】
さらなる技術プランには、前記伝動機構は前記伝動チャンバの中に回転できるように設置された伝動軸を含み、前記伝動軸の外周には第一ギヤが固定的に設置され、前記第一ギヤの左側の前記伝動軸の外周には従動ベベルギヤが固定的に設置され、前記動力軸の頂端が前記伝動チャンバの中に挿入されることができ、また前記動力軸の頂端には前記従動ベベルギヤと噛み合うように設置された動力ベベルギヤが固定的に設置され、前記回転柱の底端には前記第一ギヤと噛み合うように設置された第二フェースギヤが固定的に設置され、前記動力ベベルギヤの直径は前記第二フェースギヤの直径より小さく、更に前記動力ベベルギヤが前記第二フェースギヤに伝達する回転速度を下げる。
【０００８】
さらなる技術プランには、前記スイッチ機構は前記凹溝の右側端壁の中に回転できるように設置された横軸を含み、前記横軸の右側の一部が前記円形盤の外部から出ており、また前記横軸の右側末端にはつまみが固定的に設置され、前記横軸の左側末端には第二ギヤが固定的に設置され、前記滑り軸受の外周には第二フェースギヤが固定的に設置され、前記第二フェースギヤと前記第二ギヤとが噛み合うように設置され、手で前記つまみを回すことを通じて、前記横軸を回転させ、更にそれにより前記第二ギヤが前記第二フェースギヤを回転連動させ、それによって前記拡散機構が開けられ、香水が揮発し、前記円形台の片側端面には管路が設置され、前記管路と前記貯蔵チャンバとが連通するように設置され、前記管路の頂部には栓がスライドできるように設置され、前記栓が前記管路を塞ぐことができる。
【発明の効果】
【０００９】
本発明の有益な効果は：本発明のカーアクセサリーは、比較的に高い美観性を持つだけでなく、香水を拡散する機能も持っており、その機能性を高め、曲がり板の旋転を通し、拡散機構が開けられ、開けた時、香水は自動的に揮発し、且つスペースもあまりとらなく、一定の観賞性がある。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の車用香水のアクセサリーの内部全体構成概略図
【図２】図２は本発明の図１の中のＡの部分拡大概略図
【図３】図３は本発明の中の装飾品の上面図
【図４】図４は本発明の中の拡散機構を閉めた時の上面概略図
【図５】図５は本発明の中の拡散機構を開けた時の上面概略図
【発明を実施するための形態】
【００１２】
図１〜５を参照して、本発明実施例の車用香水のアクセサリーは、ベース１０と、円形台１１と円形盤５０とを含み、前記円形盤５０と前記ベース１０とがいずれも円柱形であり、前記円形台１１が前記ベース１０の頂端に固定的に設置され、前記円形台１１の頂端には均一に分布されている八組の固定軸３０が固定的に設置され、前記固定軸３０の頂端がいずれも前記円形盤５０の底端と固定的に連結され、前記円形台１１の中には貯蔵チャンバ１４が設置され、前記貯蔵チャンバ１４が上方に開口しており、前記貯蔵チャンバ１４の中には濾紙１７が固定的に設置され、前記濾紙１７は香水が揺り動かされて前記貯蔵チャンバ１４の外部に溢れることを防止でき、前記濾紙１７の底部の前記貯蔵チャンバ１４の中には香水を置くことができ、前記貯蔵チャンバ１４の中には香水の揮発を速める拡散機構７１が設置され、前記円形盤５０の頂端には回転柱２８が回転できるように設置され、前記円形盤５０の中には伝動チャンバ５２が設置され、前記伝動チャンバ５２の中には前記回転柱２８を回転させることができる伝動機構７２が設置され、前記円形盤５０の底部端面には凹溝４０が設置され、前記凹溝４０の中には前記拡散機構７１を開けることを制御するスイッチ機構７３が設置され、前記円形盤５０の頂部端面には中心対称的に設置された八組の円柱形溝２２が設置され、前記円柱形溝２２の中にはいずれもスライド柱２４がスライドできるように設置され、前記スライド柱２４の底端と前記円柱形溝２２の底壁との間にはいずれもばね２３が装着され、前記スライド柱２４の頂端にはいずれも円球２５が固定的に設置され、前記回転柱２８の下側の一部が伸びて前記伝動チャンバ５２の中に入っており、また前記回転柱２８の頂端には装飾品２７が固定的に設置され、前記回転柱２８の外周には左右対称的に設置された二組の横向き板２６が固定的に設置され、前記横向き板２６の底端が前記円球２５と当接することができ、前記回転柱２８がゆっくり回転する時、前記横向き板２６をそれぞれ八組の前記円球２５と当接させることができ、更に前記スライド柱２４を間欠的に上下へ運動させる。
【００１３】
前記拡散機構７１は前記貯蔵チャンバ１４の底壁に固定的に設置された固定柱１２を含み、前記固定柱１２の中には上下へ伸びるように設置された動力軸３３が回転できるように設置され、前記動力軸３３の底端と前記ベース１０の中に固定的に嵌められたモーター１３とが動力が伝達できるように連結され、前記貯蔵チャンバ１４の中の前記動力軸３３の外周にはファン１８が固定的に設置され、前記ファン１８が前記濾紙１７の頂部に位置しており、前記円形盤５０の底部端面には滑り軸受３２が回転できるように設置され、前記滑り軸受３２が前記動力軸３３に被せられ、且つ前記滑り軸受３２と前記動力軸３３との間に隙間があり、八組の前記固定軸３０の外周にはいずれも曲がり板２０が回転できるように設置され、八組の前記曲がり板２０は互いに協力し合って円柱形を成し、前記曲がり板２０と前記滑り軸受３２との間がベルト３１によって連結され、前記滑り軸受３２の回転を通し、前記曲がり板２０を開けられ、更にこれにより香水が揮発できる。
【００１４】
前記伝動機構７２は前記伝動チャンバ５２の中に回転できるように設置された伝動軸３７を含み、前記伝動軸３７の外周には第一ギヤ３６が固定的に設置され、前記第一ギヤ３６の左側の前記伝動軸３７の外周には従動ベベルギヤ３８が固定的に設置され、前記動力軸３３の頂端が前記伝動チャンバ５２の中に挿入されることができ、また前記動力軸３３の頂端には前記従動ベベルギヤ３８と噛み合うように設置された動力ベベルギヤ４５が固定的に設置され、前記回転柱２８の底端には前記第一ギヤ３６と噛み合うように設置された第二フェースギヤ３５が固定的に設置され、前記動力ベベルギヤ４５の直径は前記第二フェースギヤの直径より小さく、更に前記動力ベベルギヤ４５が前記第二フェースギヤ３５に伝達する回転速度を下げ、前記モーター１３を制御して作動させることを通じ、前記動力軸３３を回転させ、それによって前記動力ベベルギヤ４５を回転連動させ、更に前記従動ベベルギヤ３８が前記伝動軸３７を回転連動させ、前記第一ギヤ３６が前記第二フェースギヤ３５を回転連動させ、それによって前記回転柱２８を回転させる。
【００１５】
前記スイッチ機構７３は前記凹溝４０の右側端壁の中に回転できるように設置された横軸５７を含み、前記横軸５７の右側の一部が前記円形盤５０の外部から出ており、また前記横軸５７の右側末端にはつまみ２１が固定的に設置され、前記横軸５７の左側末端には第二ギヤ３９が固定的に設置され、前記滑り軸受３２の外周には第二フェースギヤ４１が固定的に設置され、前記第二フェースギヤ４１と前記第二ギヤ３９とが噛み合うように設置され、手で前記つまみ２１を回すことを通じて、前記横軸５７を回転させ、更にそれにより前記第二ギヤ３９が前記第二フェースギヤ４１を回転連動させ、それによって前記拡散機構７１が開けられ、香水が揮発し、前記円形台１１の片側端面には管路１５が設置され、前記管路１５と前記貯蔵チャンバ１４とが連通するように設置され、前記管路１５の頂部には栓１６がスライドできるように設置され、前記栓１６が前記管路１５を塞ぐことができ、それによって香水が前記管路１５によって揮発しなく、前記貯蔵チャンバ１４の中の香水を使用し終わった時、前記管路１５を通して前記貯蔵チャンバ１４の中へ香水を注ぎ入れることができる。
【００１６】
使用する時、モーター１３を制御して作動させることを通し、動力軸３３を回転させ、更に動力ベベルギヤ４５が従動ベベルギヤ３８を回転連動させ、これにより従動ベベルギヤ３８が伝動軸３７を回転連動させ、第一ギヤ３６が第二フェースギヤ３５を回転連動させ、それによって回転柱２８が回転し、第二フェースギヤ３５の直径が動力ベベルギヤ４５の直径より大きいため、第二フェースギヤ３５の回転速度を下げ、回転柱２８をゆっくり回転させ、更にこれにより横向き板２６がそれぞれ八組の円球２５と当接し、更にスライド柱２４が間欠的に上下へ運動し、美観性を高め、拡散機構７１を開けて香水を揮発させようとする時、手でつまみ２１を回すことにより横軸５７が回転し、更にこれにより第二ギヤ３９が第二フェースギヤ４１を回転連動させ、滑り軸受３２を回転させ、滑り軸受３２がベルト３１を引き動かすことによって、曲がり板２０が固定軸３０を回って回転し、更に曲がり板２０が開けられ、動力軸３３がファン１８を回転連動させ、香水が上方へ吹き動かされ、それによって香水が揮発する。
【００１７】
本発明の有益な効果は：本発明のカーアクセサリーは、比較的に高い美観性を持つだけでなく、香水を拡散する機能も持っており、その機能性を高め、曲がり板の旋転を通し、拡散機構が開けられ、開けた時、香水は自動的に揮発し、且つスペースもあまりとらなく、一定の観賞性がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020183213.tif 000003
【図２】
2020183213.tif 000004
【図３】
2020183213.tif 000005
【図４】
2020183213.tif 000006
【図５】
2020183213.tif 000007
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
正面視で、ベースと、円形台と円形盤とを含み、前記円形盤と前記ベースとがいずれも円柱形であり、前記円形台が前記ベースの頂端に固定的に設置され、前記円形台の頂端には均一に分布されている八組の固定軸が固定的に設置され、前記固定軸の頂端がいずれも前記円形盤の底端と固定的に連結され、前記円形台の中には貯蔵チャンバが設置され、前記貯蔵チャンバが上方に開口しており、前記貯蔵チャンバの中には濾紙が固定的に設置され、前記濾紙は香水が揺り動かされて前記貯蔵チャンバの外部に溢れることを防止でき、前記濾紙の底部の前記貯蔵チャンバの中には香水を置くことができ、前記貯蔵チャンバの中には香水の揮発を速める拡散機構が設置され、前記円形盤の頂端には回転柱が回転できるように設置され、前記円形盤の中には伝動チャンバが設置され、前記伝動チャンバの中には前記回転柱を回転させることができる伝動機構が設置され、前記円形盤の底部端面には凹溝が設置され、前記凹溝の中には前記拡散機構を開けることを制御するスイッチ機構が設置され、前記円形盤の頂部端面には中心対称的に設置された八組の円柱形溝が設置され、前記円柱形溝の中にはいずれもスライド柱がスライドできるように設置され、前記スライド柱の底端と前記円柱形溝の底壁との間にはいずれもばねが装着され、前記スライド柱の頂端にはいずれも円球が固定的に設置され、前記回転柱の下側の一部が伸びて前記伝動チャンバの中に入っており、また前記回転柱の頂端には装飾品が固定的に設置され、前記回転柱の外周には左右対称的に設置された二組の横向き板が固定的に設置され、前記横向き板の底端が前記円球と当接することができることを特徴とする車用香水のアクセサリー。
【請求項２】
前記拡散機構は前記貯蔵チャンバの底壁に固定的に設置された固定柱を含み、前記固定柱の中には上下へ伸びるように設置された動力軸が回転できるように設置され、前記動力軸の底端と前記ベースの中に固定的に嵌められたモーターとが動力が伝達できるように連結され、前記貯蔵チャンバの中の前記動力軸の外周にはファンが固定的に設置され、前記ファンが前記濾紙の頂部に位置しており、前記円形盤の底部端面には滑り軸受が回転できるように設置され、前記滑り軸受が前記動力軸に被せられ、且つ前記滑り軸受と前記動力軸との間に隙間があり、八組の前記固定軸の外周にはいずれも曲がり板が回転できるように設置され、八組の前記曲がり板は互いに協力し合って円柱形を成し、前記曲がり板と前記滑り軸受との間がベルトによって連結されることを特徴とする請求項１に記載の車用香水のアクセサリー。
【請求項３】
前記伝動機構は前記伝動チャンバの中に回転できるように設置された伝動軸を含み、前記伝動軸の外周には第一ギヤが固定的に設置され、前記第一ギヤの左側の前記伝動軸の外周には従動ベベルギヤが固定的に設置され、前記動力軸の頂端が前記伝動チャンバの中に挿入されることができ、また前記動力軸の頂端には前記従動ベベルギヤと噛み合うように設置された動力ベベルギヤが固定的に設置され、前記回転柱の底端には前記第一ギヤと噛み合うように設置された第二フェースギヤが固定的に設置され、前記動力ベベルギヤの直径は前記第二フェースギヤの直径より小さく、更に前記動力ベベルギヤが前記第二フェースギヤに伝達する回転速度を下げることを特徴とする請求項２に記載の車用香水のアクセサリー。
【請求項４】
前記スイッチ機構は前記凹溝の右側端壁の中に回転できるように設置された横軸を含み、前記横軸の右側の一部が前記円形盤の外部から出ており、また前記横軸の右側末端にはつまみが固定的に設置され、前記横軸の左側末端には第二ギヤが固定的に設置され、前記滑り軸受の外周には第三フェースギヤが固定的に設置され、前記第三フェースギヤと前記第二ギヤとが噛み合うように設置され、手で前記つまみを回すことを通じて、前記横軸を回転させ、更にそれにより前記第二ギヤが前記第三フェースギヤを回転連動させ、それによって前記拡散機構が開けられ、香水が揮発し、前記円形台の片側端面には管路が設置され、前記管路と前記貯蔵チャンバとが連通するように設置され、前記管路の頂部には栓がスライドできるように設置され、前記栓が前記管路を塞ぐことができることを特徴とする請求項２に記載の車用香水のアクセサリー。
【手続補正２】
【補正対象書類名】明細書
【補正対象項目名】全文
【補正方法】変更
【補正の内容】
【発明の詳細な説明】
【技術分野】
【０００１】
本発明はカーアクセサリー技術分野に関わり、具体的には車用香水のアクセサリーである。
【背景技術】
【０００２】
目下、市販されているほどんどのカーアクセサリーは単一の装飾機能しか持っていなく、面白みに欠けており、観賞性があまり高くなく、構成も古く、普及するのは面倒であり、従って、本発明は装飾品と香水とを結合した車用香水のアクセサリーを設計した。
【先行技術文献】
【特許文献】
【０００３】
【特許文献１】中国特許出願公開第１０５４８０００１号明細書
【発明の概要】
【発明が解決しようとする課題】
【０００４】
本発明は車用香水のアクセサリーを提供し、既存技術にある上記欠点を解消することを目的とする。
【課題を解決するための手段】
【０００５】
本発明実施例の車用香水のアクセサリーは、ベースと、円形台と円形盤とを含み、前記円形盤と前記ベースとがいずれも円柱形であり、前記円形台が前記ベースの頂端に固定的に設置され、前記円形台の頂端には均一に分布されている八組の固定軸が固定的に設置され、前記固定軸の頂端がいずれも前記円形盤の底端と固定的に連結され、前記円形台の中には貯蔵チャンバが設置され、前記貯蔵チャンバが上方に開口しており、前記貯蔵チャンバの中には濾紙が固定的に設置され、前記濾紙は香水が揺り動かされて前記貯蔵チャンバの外部に溢れることを防止でき、前記濾紙の底部の前記貯蔵チャンバの中には香水を置くことができ、前記貯蔵チャンバの中には香水の揮発を速める拡散機構が設置され、前記円形盤の頂端には回転柱が回転できるように設置され、前記円形盤の中には伝動チャンバが設置され、前記伝動チャンバの中には前記回転柱を回転させることができる伝動機構が設置され、前記円形盤の底部端面には凹溝が設置され、前記凹溝の中には前記拡散機構を開けることを制御するスイッチ機構が設置され、前記円形盤の頂部端面には中心対称的に設置された八組の円柱形溝が設置され、前記円柱形溝の中にはいずれもスライド柱がスライドできるように設置され、前記スライド柱の底端と前記円柱形溝の底壁との間にはいずれもばねが装着され、前記スライド柱の頂端にはいずれも円球が固定的に設置され、前記回転柱の下側の一部が伸びて前記伝動チャンバの中に入っており、また前記回転柱の頂端には装飾品が固定的に設置され、前記回転柱の外周には左右対称的に設置された二組の横向き板が固定的に設置され、前記横向き板の底端が前記円球と当接することができる。
【０００６】
さらなる技術プランには、前記拡散機構は前記貯蔵チャンバの底壁に固定的に設置された固定柱を含み、前記固定柱の中には上下へ伸びるように設置された動力軸が回転できるように設置され、前記動力軸の底端と前記ベースの中に固定的に嵌められたモーターとが動力が伝達できるように連結され、前記貯蔵チャンバの中の前記動力軸の外周にはファンが固定的に設置され、前記ファンが前記濾紙の頂部に位置しており、前記円形盤の底部端面には滑り軸受が回転できるように設置され、前記滑り軸受が前記動力軸に被せられ、且つ前記滑り軸受と前記動力軸との間に隙間があり、八組の前記固定軸の外周にはいずれも曲がり板が回転できるように設置され、八組の前記曲がり板は互いに協力し合って円柱形を成し、前記曲がり板と前記滑り軸受との間がベルトによって連結される。
【０００７】
さらなる技術プランには、前記伝動機構は前記伝動チャンバの中に回転できるように設置された伝動軸を含み、前記伝動軸の外周には第一ギヤが固定的に設置され、前記第一ギヤの左側の前記伝動軸の外周には従動ベベルギヤが固定的に設置され、前記動力軸の頂端が前記伝動チャンバの中に挿入されることができ、また前記動力軸の頂端には前記従動ベベルギヤと噛み合うように設置された動力ベベルギヤが固定的に設置され、前記回転柱の底端には前記第一ギヤと噛み合うように設置された第二フェースギヤが固定的に設置され、前記動力ベベルギヤの直径は前記第二フェースギヤの直径より小さく、更に前記動力ベベルギヤが前記第二フェースギヤに伝達する回転速度を下げる。
【０００８】
さらなる技術プランには、前記スイッチ機構は前記凹溝の右側端壁の中に回転できるように設置された横軸を含み、前記横軸の右側の一部が前記円形盤の外部から出ており、また前記横軸の右側末端にはつまみが固定的に設置され、前記横軸の左側末端には第二ギヤが固定的に設置され、前記滑り軸受の外周には第三フェースギヤが固定的に設置され、前記第三フェースギヤと前記第二ギヤとが噛み合うように設置され、手で前記つまみを回すことを通じて、前記横軸を回転させ、更にそれにより前記第二ギヤが前記第三フェースギヤを回転連動させ、それによって前記拡散機構が開けられ、香水が揮発し、前記円形台の片側端面には管路が設置され、前記管路と前記貯蔵チャンバとが連通するように設置され、前記管路の頂部には栓がスライドできるように設置され、前記栓が前記管路を塞ぐことができる。
【発明の効果】
【０００９】
本発明の有益な効果は：本発明のカーアクセサリーは、比較的に高い美観性を持つだけでなく、香水を拡散する機能も持っており、その機能性を高め、曲がり板の旋転を通し、拡散機構が開けられ、開けた時、香水は自動的に揮発し、且つスペースもあまりとらなく、一定の観賞性がある。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の車用香水のアクセサリーの内部全体構成概略図
【図２】図２は本発明の図１の中のＡの部分拡大概略図
【図３】図３は本発明の中の装飾品の上面図
【図４】図４は本発明の中の拡散機構を閉めた時の上面概略図
【図５】図５は本発明の中の拡散機構を開けた時の上面概略図
【発明を実施するための形態】
【００１２】
図１〜５を参照して、本発明実施例の車用香水のアクセサリーは、ベース１０と、円形台１１と円形盤５０とを含み、前記円形盤５０と前記ベース１０とがいずれも円柱形であり、前記円形台１１が前記ベース１０の頂端に固定的に設置され、前記円形台１１の頂端には均一に分布されている八組の固定軸３０が固定的に設置され、前記固定軸３０の頂端がいずれも前記円形盤５０の底端と固定的に連結され、前記円形台１１の中には貯蔵チャンバ１４が設置され、前記貯蔵チャンバ１４が上方に開口しており、前記貯蔵チャンバ１４の中には濾紙１７が固定的に設置され、前記濾紙１７は香水が揺り動かされて前記貯蔵チャンバ１４の外部に溢れることを防止でき、前記濾紙１７の底部の前記貯蔵チャンバ１４の中には香水を置くことができ、前記貯蔵チャンバ１４の中には香水の揮発を速める拡散機構７１が設置され、前記円形盤５０の頂端には回転柱２８が回転できるように設置され、前記円形盤５０の中には伝動チャンバ５２が設置され、前記伝動チャンバ５２の中には前記回転柱２８を回転させることができる伝動機構７２が設置され、前記円形盤５０の底部端面には凹溝４０が設置され、前記凹溝４０の中には前記拡散機構７１を開けることを制御するスイッチ機構７３が設置され、前記円形盤５０の頂部端面には中心対称的に設置された八組の円柱形溝２２が設置され、前記円柱形溝２２の中にはいずれもスライド柱２４がスライドできるように設置され、前記スライド柱２４の底端と前記円柱形溝２２の底壁との間にはいずれもばね２３が装着され、前記スライド柱２４の頂端にはいずれも円球２５が固定的に設置され、前記回転柱２８の下側の一部が伸びて前記伝動チャンバ５２の中に入っており、また前記回転柱２８の頂端には装飾品２７が固定的に設置され、前記回転柱２８の外周には左右対称的に設置された二組の横向き板２６が固定的に設置され、前記横向き板２６の底端が前記円球２５と当接することができ、前記回転柱２８がゆっくり回転する時、前記横向き板２６をそれぞれ八組の前記円球２５と当接させることができ、更に前記スライド柱２４を間欠的に上下へ運動させる。
【００１３】
前記拡散機構７１は前記貯蔵チャンバ１４の底壁に固定的に設置された固定柱１２を含み、前記固定柱１２の中には上下へ伸びるように設置された動力軸３３が回転できるように設置され、前記動力軸３３の底端と前記ベース１０の中に固定的に嵌められたモーター１３とが動力が伝達できるように連結され、前記貯蔵チャンバ１４の中の前記動力軸３３の外周にはファン１８が固定的に設置され、前記ファン１８が前記濾紙１７の頂部に位置しており、前記円形盤５０の底部端面には滑り軸受３２が回転できるように設置され、前記滑り軸受３２が前記動力軸３３に被せられ、且つ前記滑り軸受３２と前記動力軸３３との間に隙間があり、八組の前記固定軸３０の外周にはいずれも曲がり板２０が回転できるように設置され、八組の前記曲がり板２０は互いに協力し合って円柱形を成し、前記曲がり板２０と前記滑り軸受３２との間がベルト３１によって連結され、前記滑り軸受３２の回転を通し、前記曲がり板２０を開けられ、更にこれにより香水が揮発できる。
【００１４】
前記伝動機構７２は前記伝動チャンバ５２の中に回転できるように設置された伝動軸３７を含み、前記伝動軸３７の外周には第一ギヤ３６が固定的に設置され、前記第一ギヤ３６の左側の前記伝動軸３７の外周には従動ベベルギヤ３８が固定的に設置され、前記動力軸３３の頂端が前記伝動チャンバ５２の中に挿入されることができ、また前記動力軸３３の頂端には前記従動ベベルギヤ３８と噛み合うように設置された動力ベベルギヤ４５が固定的に設置され、前記回転柱２８の底端には前記第一ギヤ３６と噛み合うように設置された第二フェースギヤ３５が固定的に設置され、前記動力ベベルギヤ４５の直径は前記第二フェースギヤの直径より小さく、更に前記動力ベベルギヤ４５が前記第二フェースギヤ３５に伝達する回転速度を下げ、前記モーター１３を制御して作動させることを通じ、前記動力軸３３を回転させ、それによって前記動力ベベルギヤ４５を回転連動させ、更に前記従動ベベルギヤ３８が前記伝動軸３７を回転連動させ、前記第一ギヤ３６が前記第二フェースギヤ３５を回転連動させ、それによって前記回転柱２８を回転させる。
【００１５】
前記スイッチ機構７３は前記凹溝４０の右側端壁の中に回転できるように設置された横軸５７を含み、前記横軸５７の右側の一部が前記円形盤５０の外部から出ており、また前記横軸５７の右側末端にはつまみ２１が固定的に設置され、前記横軸５７の左側末端には第二ギヤ３９が固定的に設置され、前記滑り軸受３２の外周には第三フェースギヤ４１が固定的に設置され、前記第三フェースギヤ４１と前記第二ギヤ３９とが噛み合うように設置され、手で前記つまみ２１を回すことを通じて、前記横軸５７を回転させ、更にそれにより前記第二ギヤ３９が前記第三フェースギヤ４１を回転連動させ、それによって前記拡散機構７１が開けられ、香水が揮発し、前記円形台１１の片側端面には管路１５が設置され、前記管路１５と前記貯蔵チャンバ１４とが連通するように設置され、前記管路１５の頂部には栓１６がスライドできるように設置され、前記栓１６が前記管路１５を塞ぐことができ、それによって香水が前記管路１５によって揮発しなく、前記貯蔵チャンバ１４の中の香水を使用し終わった時、前記管路１５を通して前記貯蔵チャンバ１４の中へ香水を注ぎ入れることができる。
【００１６】
使用する時、モーター１３を制御して作動させることを通し、動力軸３３を回転させ、更に動力ベベルギヤ４５が従動ベベルギヤ３８を回転連動させ、これにより従動ベベルギヤ３８が伝動軸３７を回転連動させ、第一ギヤ３６が第二フェースギヤ３５を回転連動させ、それによって回転柱２８が回転し、第二フェースギヤ３５の直径が動力ベベルギヤ４５の直径より大きいため、第二フェースギヤ３５の回転速度を下げ、回転柱２８をゆっくり回転させ、更にこれにより横向き板２６がそれぞれ八組の円球２５と当接し、更にスライド柱２４が間欠的に上下へ運動し、美観性を高め、拡散機構７１を開けて香水を揮発させようとする時、手でつまみ２１を回すことにより横軸５７が回転し、更にこれにより第二ギヤ３９が第三フェースギヤ４１を回転連動させ、滑り軸受３２を回転させ、滑り軸受３２がベルト３１を引き動かすことによって、曲がり板２０が固定軸３０を回って回転し、更に曲がり板２０が開けられ、動力軸３３がファン１８を回転連動させ、香水が上方へ吹き動かされ、それによって香水が揮発する。
【００１７】
本発明の有益な効果は：本発明のカーアクセサリーは、比較的に高い美観性を持つだけでなく、香水を拡散する機能も持っており、その機能性を高め、曲がり板の旋転を通し、拡散機構が開けられ、開けた時、香水は自動的に揮発し、且つスペースもあまりとらなく、一定の観賞性がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。